(57)【要約】【課題】積み重ね可能な家具を、前後方向に位置ずれするのを確実防止して、安定よく積み重ねることができるようにした接床部材を提供する。【解決手段】接床部材６は、下部脚杆２ａよりも下方の下面に設けられ、前後両方向が閉塞された下方に開口する嵌合溝１１と、下部脚杆２ａよりも上方の上面に設けられ、家具を積み重ねたとき、上位の嵌合溝１１に嵌合可能な上向突部１５とを備える。【選択図】  図８
2015084791.tif 000002
【特許請求の範囲】
【請求項１】
積み重ね可能な家具の脚における前後方向を向く下部脚杆に取付けられ、前記家具を積み重ねたとき、下位のものの上面に上位のものの下面が当接するようにした接床部材であって、
前記下部脚杆よりも下方の下面に設けられ、前後両方向が閉塞された下方に開口する嵌合溝と、前記下部脚杆よりも上方の上面に設けられた上向突部とを備え、前記家具を積み重ねたとき、上位の前記嵌合溝に下位の前記上向突部が嵌合しうるようにしたことを特徴とする接床部材。
【請求項２】
嵌合溝を、正面視上向き円弧状に凹入するものとするとともに、上向突部の上面を、家具を積み重ねたとき、前記嵌合溝の下面に当接可能な、前記嵌合溝とほぼ同じ曲率の凸曲面としてなる請求項１に記載の接床部材。
【請求項３】
上向突部と離間する上面に、正面視において下向きに凹入する凹溝を設け、嵌合溝と離間する下面に、家具を積み重ねたとき前記凹溝に嵌合可能な嵌合突部を設けてなる請求項１または２に記載の接床部材。
【請求項４】
下部脚杆と同方向を向く嵌合孔を設け、この嵌合孔を前記下部脚杆に嵌合して、ねじにより固定してなる請求項１〜３のいずれかに記載の接床部材。
【請求項５】
下部脚杆の下半部に嵌合される下部接床部材と、下部脚杆の上半部に嵌合される上部接床部材とからなり、これら下部接床部材と上部接床部材を互いに結合してなる請求項１〜４のいずれかに記載の接床部材。
【請求項６】
請求項１〜５のいずれかに記載の接床部材を備えることを特徴とする家具。
【発明の詳細な説明】
【技術分野】
【０００１】
本発明は、積み重ね可能な椅子やテーブル等の家具における脚に取り付けられる接床部材及びそれを備える家具に関する。
【背景技術】
【０００２】
各種会場や会議室等で使用される椅子には、室内スペースを有効に利用するために、不使用時において椅子を上下に積み重ねて保管しうるようにしたものが多い。このような積み重ね可能な椅子の中には、下位の椅子に対して、上位の椅子が位置ずれしないようにしたものがある(例えば特許文献１、２参照)。
【先行技術文献】
【特許文献】
【０００３】
【特許文献１】実公昭５１−４３８号公報
【特許文献２】特許第４７１０６０５号公報(図１６)
【発明の概要】
【発明が解決しようとする課題】
【０００４】
椅子を積み重ねると、その数が増えるほど、重心が前方に移動するようになるため、上位の椅子が前方に位置ずれすると、積み重ねた椅子が前方に倒れるおそれがある。従って、積み重ねた下位の椅子に対して、上位の椅子が前方に位置ずれすることのないようにすることが重要である。
【０００５】
上記特許文献１に記載されている椅子は、上下方向を向く脚の下端に、平面視後向きＵ字状の抱着片を有する接床部材を嵌着し、椅子の積み重ね時に、上位の椅子における接床部材の抱着片を、下位の椅子の脚に嵌合することにより、椅子を位置ずれを防止して積み重ねうるようにしたものである。
しかし、このような構造の接床部材は、上位の椅子の左右方向の位置ずれは防止しうるが、平面視後向きＵ字状の抱着片を、下位の椅子の脚に前方より嵌合しているため、上位の椅子に前向きの力が加わると、抱着片が下位の脚より外れて、上位の椅子が前方に位置ずれするおそれがある。また、抱着片を下位の椅子の脚に嵌合する際の動作方向が、椅子を積み重ねる方向と直交する方向であるため、抱着片の嵌合作業を、椅子を積み重ねる作業と同時に行なうことができず、二度手間となる。
【０００６】
特許文献２に記載されている椅子は、前後方向を向く左右１対の接地杆に、下面が上向きに凹入する円弧状の載支溝となっている接床部材を取付け、上位の椅子の載支溝を下位の椅子の接地杆の上面に当接させることにより、椅子を安定して積み重ねうるようにしたものである。しかし、上位の椅子の円弧状をなす載支溝を、下位の椅子の接地杆の上面に当接させただけであるので、上位の椅子が前後左右方向に動き易い。
【０００７】
本発明は、上記問題点に鑑みてなされたもので、積み重ね可能な家具を、前後方向に位置ずれするの確実に防止して、安定よく積み重ねることができるようにするとともに、家具が左右方向にも位置ずれしにくいようにした接床部材、及びそれを備える家具を提供することを目的としている。
【課題を解決するための手段】
【０００８】
本発明によると、上記課題は、次の各項のようにして解決される。
（１）積み重ね可能な家具の脚における前後方向を向く下部脚杆に取付けられ、前記家具を積み重ねたとき、上面に下面が当接するようにした接床部材であって、前記下部脚杆よりも下方の下面に設けられ、前後両方向が閉塞された下方に開口する嵌合溝と、前記下部脚杆よりも上方の上面に設けられた上向突部とを備え、前記家具を積み重ねたとき、上位の前記嵌合溝に下位の前記上向突部が嵌合しうるようにする。
【０００９】
このような構成によると、家具を積み重ねたとき、上位の接床部材の嵌合溝に、下位の接床部材の上向突部が嵌合することにより、積み重ね可能な家具を、前後方向に位置ずれするのを確実に防止して、安定よく積み重ねることができる。
また、上位の接床部材の嵌合溝への下位の接床部材の上向突部の嵌合動作を、家具の積み重ね作業と同時に上方から一度で行えるので、家具の積み重ね作業が効率的となる。
【００１０】
（２）上記(１)項において、嵌合溝を、正面視上向き円弧状をなすものとするとともに、上向突部の上面を、家具を積み重ねたとき、前記嵌合溝の下面に当接可能な、前記嵌合溝とほぼ同じ曲率の凸曲面とする。
【００１１】
このような構成によると、家具を積み重ねたとき、上位の接床部材の嵌合溝の円弧状をなす下面に、下位の接床部材における上向突部の上面の凸曲面が当接することにより、下位の家具に対し上位の家具が左右方向に位置ずれしにくくなる。
【００１２】
（３）上記(１)または(２)項において、上向突部と離間する上面に、正面視において下向きに凹入する凹溝を設け、嵌合溝と離間する下面に、家具を積み重ねたとき前記凹溝に嵌合可能な嵌合突部を設ける。
【００１３】
このような構成によると、家具を積み重ねたとき、下向きに凹入する凹溝に嵌合突部が嵌合し、かつ互いの接触面積が大となるので、下位の家具に対して、上位の家具が左右方向にさらに位置ずれしにくくなる。
【００１４】
（４）上記(１)〜(３)項のいずれかにおいて、下部脚杆と同方向を向く嵌合孔を設け、この嵌合孔を前記下部脚杆に嵌合して、ねじにより固定する。
【００１５】
このような構成によると、下部脚杆に嵌合された接床部材が、ねじにより前後左右方向へ位置ずれするのが防止されるので、この接床部材を取付けた家具を、安定よく積み重ねることができる。
【００１６】
（５）上記(１)〜(４)項のいずれかにおいて、下部脚杆の下半部に嵌合される下部接床部材と、下部脚杆の上半部に嵌合される上部接床部材とからなり、これら下部接床部材と上部接床部材を互いに結合する。
【００１７】
このような構成によると、接床部材は、下部接床部材と上部接床部材との２分割構造とされているので、下部脚杆への取付け作業が容易となる。
また、下部接床部材と上部接床部材とは互いに結合されているので、接床部材が下部脚杆に対し前後左右方向の位置ずれするのが防止され、従って、接床部材を取付けた家具を、安定よく積み重ねることができる。
【００１８】
（６）上記(１)〜(５)項のいずれかに記載の接床部材を備える家具とする。
【００１９】
このような構成によると、家具を積み重ねたとき、上位の接床部材の嵌合溝に、下位の接床部材の上向突部が嵌合することにより、家具を、前後左右方向に位置ずれするのを防止して、安定よく積み重ねることができる。
【発明の効果】
【００２０】
本発明の接床部材及び家具によれば、家具を積み重ねたとき、上位の接床部材の嵌合溝に、下位の接床部材の上向突部が嵌合することにより、家具を、前後方向に位置ずれするのを確実に防止して、安定よく積み重ねることができる。
【図面の簡単な説明】
【００２１】
【図１】本発明に係る接床部材を、椅子に取付けたときの斜視図である。
【図２】同じく、椅子を積み重ねた状態の斜視図である。
【図３】接床部材の拡大斜視図である。
【図４】同じく、接床部材を下方より見た拡大斜視図である。
【図５】図３のV−V線縦断面図である。
【図６】図３のVI−VI線縦断面図である。
【図７】積み重ねた椅子における接床部材取付部の拡大斜視図である。
【図８】図７のVIII−VIII線縦断面図である。
【図９】図８のIX−IX線縦断面図である。
【図１０】図８のX−X線縦断面図である。
【発明を実施するための形態】
【００２２】
以下、本発明の実施形態を、図面に基づいて説明する。
図１は、本発明に係る接床部材を、家具である椅子に取付けたときの斜視図、図２は、この椅子を積み重ねた状態の斜視図を示すもので、椅子１は、スチールパイプよりなる側面視概ね方形の左右１対の脚２、２を備えている。左右の脚２は、椅子１を積み重ねうるように、正面視において、下方へ行くに従ってやや拡開している。
【００２３】
左右の脚２は、前後方向を向く水平な下部脚杆２ａと、その前端より若干斜め後上方に傾斜するように起立する前部脚杆２ｂと、下部脚杆２ａの後端より斜め前上方に傾斜するように起立する後部脚杆２ｃと、前部脚杆２ｂと後部脚杆２ｃの上端に連続する、下部脚杆２ａと平行な上部脚杆２ｄとを備え、左右の上部脚杆２ｄ、２ｄにおける前端部と後端部同士は、左右方向を向く座支持杆３、３により連結されている。左右の上部脚杆２ｃと前後の座支持杆３とにより、座４とその後端より起立する背凭れ５が支持されている。
【００２４】
左右の脚２における下部脚杆２ａの前後の端部には、合成樹脂製の接床部材６、６が取付けられている。この接床部材６は、図３〜図６に拡大して示すように、下部脚杆２ａの下半部に嵌合可能な前後方向の半円溝７を上面に有する前後方向を向く下部接床部材６ａと、下面に下部脚杆２ａの上半部に嵌合可能な前後方向の半円溝８を有する上部接床部材６ｂとの上下２分割構造とされている。下部接床部材６ａの半円溝７と、上部接床部材６ｂの半円溝８とにより、下部脚杆２ａに嵌合される前後方向の嵌合孔が形成されている。
【００２５】
床面に接触する下部接床部材６ａの下面は、凸円弧状をなす曲面とされている。
図６に示すように、下部接床部材６ａの半円溝７を挟む上面に突設された左右１対の係合片９、９を、上部接床部材６ｂの半円溝８を挟む下面に設けた前後１対の係合溝１０、１０に圧嵌することにより、下部接床部材６ａと上部接床部材６ｂとが互いに結合されている。なお、接床部材６は、下部脚杆２ａに嵌合される前後方向の嵌合孔を有する一体構造のものとしてもよい。この際には、脚２を折曲加工する前に、接床部材６を下部脚杆２ａに嵌合し、接床部材６の内面に突設した位置決め突部を、下部脚杆２ａの設けた位置決め孔または溝に嵌合することにより、下部脚杆２ａに対して接床部材６を位置決めしたのち、止めねじにより固定すればよい。
【００２６】
下部接床部材６ａと上部接床部材６ｂとの左右寸法は等しく、かつ下部接床部材６ａと上部接床部材６ｂとを結合したときの側面形は、前面が垂直面で、後面が斜め前方に傾斜するほぼ台形をなしている。
【００２７】
図４の底面図、図５、図６の断面図に示すように、下部接床部材６ａの後方寄り(図４、図５の右方寄り)の下面には、前後方向が閉塞された下方に開口する、正面視上向き円弧状に凹入する横長の嵌合溝１１が形成されている。また、嵌合溝１１の前方の下面には、半円溝７に貫通する、後述の止めねじ１６挿入用の段付孔１２が形成されている。
【００２８】
上部接床部材６ｂの上面は、正面視上向き円弧状の凸曲面とされ、その前端部と左右両端部を除いた上面には、正面視において下向き円弧状に凹入する凹溝１３が形成されている。この凹溝１３の曲率半径は、下部接床部材６ａの下面の曲率半径とほぼ等しくされている。すなわち、椅子１を積み重ねたとき、下位の接床部材６の凹溝１３に、上位の接床部材６における嵌合溝１１よりも後方の下面の嵌合突部１４が適正に嵌合しうるようにしてある。凹溝１３の前方において、上部接床部材６ｂの上面の前端部には、椅子を積み重ねたとき、上位の下部接床部材６ａの下面の嵌合溝１１に嵌合可能な、上面が凸曲面をなす上向突部１５が形成されている。嵌合溝１１の下面と上向突部１５の上面との曲率は、ほぼ等しくされ、椅子１を積み重ねたとき、上位の嵌合溝１１の下面に、下位の上向突部１５の上面が当接するようになっている。
【００２９】
接床部材６を下部脚杆２ａに取付けるには、図８に示すように、まず前後の下部接床部材６ａの半円溝７を、下部脚杆２ａの前端部と後端部の下半部に嵌合し、段付孔１２に下方より挿入した止めねじ１６を、下部脚杆２ａの下面の前後の端部に設けた雌ねじ孔１７に螺合することにより、下部接床部材６ａを下部脚杆２ａの前後の端部に取付ける。これにより、下部脚杆２ａに対し接床部材６が前後方向に移動したり、回動したりするのが防止される。なお、止めねじ１６を、下部脚杆２ａを貫通する長さとし、上方の突出部を上部接床部材６ｂの半円溝８の下面に設けた雌ねじ孔、または上部接床部材６ｂの内部に設けたナットに螺合することにより、上下の接床部材６ｂ、６ａを、止めねじ１６により下部脚杆２ａに固定するようにしてもよい。
【００３０】
ついで、上部接床部材６ｂの半円溝８を下部脚杆２ａの上半部に嵌合させつつ、上部接床部材６ｂの係合溝１０を下部接床部材６ａの係合片９に圧嵌して、下部接床部材６ａと上部接床部材６ｂとを連結すれば、接床部材６を下部脚杆２ａの前後の端部に取付けることができる。
【００３１】
次に、椅子１を積み重ねたときの接床部材６の作用を、図７〜図１０を参照して説明する。なお、椅子１を積み重ねると、図２に示すように、下位の椅子１の下部脚杆２ａに取付けた前後左右の４個の接床部材６の上面のほぼ前半部に、上位の椅子１の下部脚杆２ａに取付けた前後左右の４個の接床部材６の下面の後半部が当接するが、上下の各接床部材６同士の当接形態及び作用は同じであるので、以下の説明は、椅子１の左前部に取り付けた接床部材６についてのみ行なう。
【００３２】
椅子１を積み重ねると、図８に示すように、下位の接床部材６の上面の上向突部１５に、上位の接床部材６の下面の嵌合溝１１が嵌合する。これにより、下位の接床部材６に対し上位の接床部材６が、矢印方向である前方と後方に移動するのが防止される。その結果、下位の椅子１に対し上位の椅子１が前方及び後方に位置ずれするのが確実に防止されるので、椅子１を多めに積み重ねても、前方に転倒するおそれがなくなる。
【００３３】
また、図９及び図１０に示すように、上位の接床部材６の嵌合溝１１の円弧状をなす下面には、下位の接床部材６の上向突部１５の上面の凸曲面が当接し、かつ下位の接床部材６の上面の凹溝１３に、上位の接床部材６の後端部下面の凸円弧状をなす嵌合突部１４が、対向面同士が互いに当接するように嵌合しており、しかも、それらの接触面積が大となるので、下位の椅子１に対して、上位の椅子１が左右方向へも位置ずれしにくくなる。
【００３４】
なお、上記実施形態では、嵌合溝１１及びそれに嵌合する上向突部１５を、正面視円弧状断面をなすものとしているが、嵌合溝１１を、前後左右両方向が閉塞された、下方にのみ開口する形状とし、この嵌合溝１１に、それとほぼ同形をなす形状とした上向突部１５が適正に嵌まり込むようにしてもよい。このようにすると、下位の椅子１に対して、上位の椅子１が前後左右方向に位置ずれするのが確実に防止される。
【００３５】
上記実施形態に係る接床部材６は、上記椅子以外の積み重ね可能な家具、例えば、上記と同様の下部脚杆２ａを有する脚２の上端部により、天板を支持してなる積み重ね式テーブル等にも適用することができる。なお、このようなテーブル等に適用する場合、接床部材６を取付ける下部脚杆２ａは、左右方向を向くものであってもよい。
【符号の説明】
【００３６】
１  椅子(家具)
２  脚
２ａ  下部脚杆
２ｂ  前部脚杆
２ｃ  後部脚杆
２ｄ  上部脚杆
３  座支持杆
４  座
５  背凭れ
６  接床部材
６ａ  下部接床部材
６ｂ  上部接床部材
７、８  半円溝
９  係合片
１０  係合溝
１１  嵌合溝
１２  段付孔
１３  凹溝
１４  嵌合突部
１５  上向突部
１６  止めねじ
１７  雌ねじ孔
【図１】
2015084791.tif 000003
【図２】
2015084791.tif 000004
【図３】
2015084791.tif 000005
【図４】
2015084791.tif 000006
【図５】
2015084791.tif 000007
【図６】
2015084791.tif 000008
【図７】
2015084791.tif 000009
【図８】
2015084791.tif 000010
【図９】
2015084791.tif 000011
【図１０】
2015084791.tif 000012